(57)【特許請求の範囲】
【請求項１】
複数の遊技機を並設して構成した遊技機列を所定の間隔をもって配置し、その一端に玉計数器を配備するとともに、前記間隔内に玉を上方に搬送しながら研磨するための研磨塔を配置し、該研磨塔の上方に研磨された玉を貯溜するための上部タンクを、又この上部タンクの下方に、上部タンクから溢れた玉を受入れる中タンクを夫々設け、前記研磨塔が配置された間隔の両側にＦタンクとＲタンクを設け、前記玉計数器が配備された側の間隔にはＪタンクが設けられたものであって、
前記玉計数器の玉出口と研磨塔の下部に設けた玉入口とをアウトレールにて接続することで、前記玉出口からの玉を研磨塔の玉入口に搬入し、
前記研磨塔の玉出口を上部タンク内に開口させるとともに、該上部タンクに貯溜した玉を遊技機に補給する為の補給トユを介して上部タンクと各遊技機とを接続し、
前記中タンクに上吐出口と下吐出口とを設け、前記上吐出口に前記Ｆタンクを、前記下吐出口に前記Ｒタンクを、夫々玉搬送路を通じて接続して、前記上部タンクから前記中タンクへ溢れ出た玉が、該中タンクの前記下吐出口から前記Ｒタンクへ搬送され、該Ｒタンクが満杯になり該Ｒタンクに接続する玉搬送路にも玉が詰まると前記下吐出口より上方の前記上吐出口から溢れ出して前記Ｆタンクへ搬送される構成として、Ｒタンク，Ｆタンクの順に各タンク内に貯溜されるようにし、
前記Ｆタンクと前記Ｒタンクは底部で連通し、該Ｆタンクに配備されたＦリフターを介して該タンク内の玉をアウトレールに搬出し、
前記Ｊタンクは、玉計数器の玉出口からの玉の一部を受け入れるとともに、該タンク内の玉をＪリフターを介してアウトレールに搬出することを特徴とする遊技機管理単位体。
【請求項２】
請求項１記載の遊技機管理単位体の玉還元処理システムにおいて、
玉計数器に投入された玉の一部はアウトレールを介して研磨塔に搬送され、残りの玉はＪタンクに貯溜されるとともに、該Ｊタンクに貯溜された玉はＦタンクの貯溜量が所定量を超えない場合にＪリフターによりアウトレールに搬出され、
前記研磨塔に搬送された玉は、上部タンク内に貯溜されて補給トユを介して各遊技機に補給されるとともに、遊技機からの使用玉はアウトレールを介して研磨塔に搬送され、前記遊技機への補給玉が満杯になりかつ上部タンクの貯溜量が所定量を超えたことを該上部タンク内のセンサが検出すると、Ｆタンクの玉をアウトレールに搬出させる為のＦリフターが停止し、該上部タンクの玉が中タンクへ溢れてＲタンク，Ｆタンクの順に貯溜され、Ｒタンクが満杯になりＦタンクの貯溜量が所定量を超えたことを該Ｆタンク内のセンサが検出すると、Ｊタンクのリフターが停止し、Ｊタンクの貯溜量が所定量を超えたことを該Ｊタンク内のセンサが検出すると、玉計数器に使用停止の表示がなされ、次いで各遊技機から出玉が生じて上部タンクの貯溜量が所定量より減少したことを該上部タンク内のセンサが検出すると、Ｆリフターが稼動し該ＦリフターによってＦタンク，Ｒタンクの順にタンク内の玉がアウトレールに搬出され、Ｆタンクの貯溜量が所定量より減少したことを該Ｆタンク内のセンサが検出すると、ＪリフターによりＪタンクの玉がアウトレールに搬出されるとともに、前記使用停止の表示が解消されることを特徴とする玉還元処理システム。
【請求項３】
前記Ｆリフターのうち玉計数器側に設けられたＦリフターによる玉の搬出動作は、該玉計数器側に設けられたＪリフターが動作している間は停止していることを特徴とする請求項２記載の玉還元処理システム。
【請求項４】
複数の遊技機を並設して構成した遊技機列を所定の間隔をもって配置し、その遊技機列内に玉計数器を配備するとともに、前記間隔内に、玉を上方に搬送しながら研磨する為の研磨塔を配置し、該研磨塔の上方に研磨された玉を貯溜するための上部タンクを、又この上部タンクの下方に、上部タンクから溢れた玉を受入れる中タンクを設け、前記研磨塔が配置された間隔の両側にＦタンクとＲタンクとＪタンクとを設けたものであって、
前記ＦタンクとＪタンクの夫々に設けたリフターと研磨塔の下部に設けた玉入口とをアウトレールにて接続することで、該アウトレールに搬入された玉を研磨塔の玉入口まで搬入し、前記研磨塔の玉出口を上部タンク内に開口させるとともに、該上部タンクに貯溜した玉を遊技機に補給するための補給トユを介して上部タンクと各遊技機とを接続し、
前記補給トユとは別に上部レールを設けて、該上部レールを介して前記上部タンクと前記Ｊタンクとを接続し、
前記玉計数器から投入された玉はＦタンク又はＲタンクに貯溜され、
前記中タンクに上吐出口と下吐出口とを設け、前記上吐出口に前記Ｆタンクを、前記下吐出口に前記Ｒタンクを、夫々玉搬送路を通じて接続して、前記上部タンクから前記中タンクへ溢れ出た玉が、該中タンクの前記下吐出口から前記Ｒタンクへ搬送され、該Ｒタンクが満杯になり該Ｒタンクに接続する玉搬送路にも玉が詰まると前記下吐出口より上方の前記上吐出口から溢れ出して前記Ｆタンクへ搬送される構成として、Ｒタンク，Ｆタンクの順に各タンク内に貯溜されるようにし、
前記Ｆタンクと前記Ｒタンクは底部で連通し、該Ｆタンクに配備されたＦリフターを介して該タンク内の玉をアウトレールに搬出することを特徴とする遊技機管理単位体。
【請求項５】
請求項１又は請求項４記載の遊技機管理単位体において、
前記上部タンクには他の遊技機管理単位体へ玉を搬出する為の島渡し出口と、他の遊技機管理単位体からの玉を搬入する為の島渡し入口が形成されているとともに、該島渡し出口が高く該島渡し入口が低くなるような高低差を有して配置されていることを特徴とする遊技機管理単位体。
【請求項６】
請求項５記載の遊技機管理単位体において、
前記上部タンクに設けられた島渡し入口には、搬入された玉を中タンクに搬入する為の落し込みガイドが設けられており、他の遊技機管理単位体からの玉が該落し込みガイドを通じて直接中タンク内へ搬入され、該中タンクから前記Ｆタンクまたは前記Ｒタンクを通じて前記研磨塔へ案内されることを特徴とする遊技機管理単位体。
【発明の詳細な説明】
【０００１】
【発明の属する技術分野】
本発明は遊技機管理単位体において玉を貯溜する各タンクや玉の搬出入に係る構造と、玉の処理システムに関する。
【０００２】
【従来の技術とその課題】
従来、遊技機、例えば複数のパチンコ台を並設したパチンコ島は、遊技場（ホール）内に複数列をなしており、各パチンコ島に玉を供給するシステムとして、ホール内ではこのパチンコ島とは別の場所に玉研磨室が設けられ、研磨された玉はこの玉研磨室から天井内配管を経て各パチンコ島に供給還元される。
斯かる供給還元システムでは、玉計数器が研磨室に隣接して設けられる、換言すればパチンコ島と離れた場所に玉計数器が設けられる為、遊技者（客）にとって使い勝手が良いものとなっていない。
【０００３】
又天井内配管による供給還元は、配管詰りなどに起因した玉の落下事故が生じたり、この落下事故を未然に防ぐ為のメンテナンスもより以上必要となる。
さらにホール内にはパチンコ島と別個に研磨室が設けられているので、ホール内有効利用の観点からは好ましくない。この観点を重要視してホール内に地下室を設け、所謂地下ピットに玉を搬入して研磨を行うことも考えられるが、パチンコ島に設けた玉計数器からの搬送が大掛りとなる為、実用的な点からは十分なものではなかった。
【０００４】
一方近年パチンコ島単位でパチンコ玉の供給還元を行う方法も採用されている。この方法はパチンコ島に研磨塔と玉計数器とを設けたものであって、玉計数器から投入された玉もパチンコ台に供給して島単位でパチンコ玉の供給還元を行うものである。
斯かる島還元方法では、玉計数器の処理能力と研磨塔における搬送（研磨）能力、すなわち玉計数器と研磨塔の時間当り処理個数に差があるとホールの運営にも支障が出る。
例えば玉計数器の処理能力が研磨塔の能力よりも大きいとパチンコ島内に複数の研磨塔を設けて対応すれば良いが、島内にその為のスペースが必要となり、島自体を大型化させることになる。
【０００５】
又研磨塔の能力を基準にして玉計数器の処理能力（速度）を規制すれば、頻繁に使用停止の警告を出さなければならない。
従ってパチンコ島の玉容量を大きくすることができず、最近の様に出玉の多いパチンコ台に対応したシステムとは言えない。
【０００６】
そこで本発明はパチンコ島内に貯溜用のタンクを複数設け、玉計数器と研磨塔との間において、この貯溜タンクによる玉の搬出入を制御することで１基の研磨塔によっても、玉計数器の能力を規制することなく最大の処理能力を発揮させ得るパチンコ玉の還元処理システムを提供するものである。
【０００７】
【課題を解決するための手段】
本発明は上記の課題を解決する為案出されたものである。
すなわち、請求項１に記載の発明は、成した遊技機列を所定の間隔をもって配置し、その一端に玉計数器を配備するとともに、前記間隔内に玉を上方に搬送しながら研磨するための研磨塔を配置し、該研磨塔の上方に研磨された玉を貯溜するための上部タンクを、又この上部タンクの下方に、上部タンクから溢れた玉を受入れる中タンクを夫々設け、前記研磨塔が配置された間隔の両側にＦタンクとＲタンクを設け、前記玉計数器が配備された側の間隔にはＪタンクが設けられたものであって、前記玉計数器の玉出口と研磨塔の下部に設けた玉入口とをアウトレールにて接続することで、前記玉出口からの玉を研磨塔の玉入口に搬入し、前記研磨塔の玉出口を上部タンク内に開口させるとともに、該上部タンクに貯溜した玉を遊技機に補給する為の補給トユを介して上部タンクと各遊技機とを接続し、前記中タンクに上吐出口と下吐出口とを設け、前記上吐出口に前記Ｆタンクを、前記下吐出口に前記Ｒタンクを、夫々玉搬送路を通じて接続して、前記上部タンクから前記中タンクへ溢れ出た玉が、該中タンクの前記下吐出口から前記Ｒタンクへ搬送され、該Ｒタンクが満杯になり該Ｒタンクに接続する玉搬送路にも玉が詰まると前記下吐出口より上方の前記上吐出口から溢れ出して前記Ｆタンクへ搬送される構成として、Ｒタンク，Ｆタンクの順に各タンク内に貯溜されるようにし、前記Ｆタンクと前記Ｒタンクは底部で連通し、該Ｆタンクに配備されたＦリフターを介して該タンク内の玉をアウトレールに搬出し、前記Ｊタンクは、玉計数器の玉出口からの玉の一部を受け入れるとともに、該タンク内の玉をＪリフターを介してアウトレールに搬出することを特徴とする遊技機管理単位体に係るものである。
請求項２に記載の発明は、請求項１記載の遊技機管理単位体の玉還元処理システムにおいて、玉計数器に投入された玉の一部はアウトレールを介して研磨塔に搬送され、残りの玉はＪタンクに貯溜されるとともに、該Ｊタンクに貯溜された玉はＦタンクの貯溜量が所定量を超えない場合にＪリフターによりアウトレールに搬出され、前記研磨塔に搬送された玉は、上部タンク内に貯溜されて補給トユを介して各遊技機に補給されるとともに、遊技機からの使用玉はアウトレールを介して研磨塔に搬送され、前記遊技機への補給玉が満杯になりかつ上部タンクの貯溜量が所定量を超えたことを該上部タンク内のセンサが検出すると、Ｆタンクの玉をアウトレールに搬出させる為のＦリフターが停止し、該上部タンクの玉が中タンクへ溢れてＲタンク，Ｆタンクの順に貯溜され、Ｒタンクが満杯になりＦタンクの貯溜量が所定量を超えたことを該Ｆタンク内のセンサが検出すると、Ｊタンクのリフターが停止し、Ｊタンクの貯溜量が所定量を超えたことを該Ｊタンク内のセンサが検出すると、玉計数器に使用停止の表示がなされ、次いで各遊技機から出玉が生じて上部タンクの貯溜量が所定量より減少したことを該上部タンク内のセンサが検出すると、Ｆリフターが稼動し該ＦリフターによってＦタンク，Ｒタンクの順にタンク内の玉がアウトレールに搬出され、Ｆタンクの貯溜量が所定量より減少したことを該Ｆタンク内のセンサが検出すると、ＪリフターによりＪタンクの玉がアウトレールに搬出されるとともに、前記使用停止の表示が解消されることを特徴とする玉還元処理システムに係るものである。
請求項３に記載の発明は、前記Ｆリフターのうち玉計数器側に設けられたＦリフターによる玉の搬出動作は、該玉計数器側に設けられたＪリフターが動作している間は停止していることを特徴とする請求項２記載の玉還元処理システムに係るものである。
請求項４に記載の発明は、複数の遊技機を並設して構成した遊技機列を所定の間隔をもって配置し、その遊技機列内に玉計数器を配備するとともに、前記間隔内に、玉を上方に搬送しながら研磨する為の研磨塔を配置し、該研磨塔の上方に研磨された玉を貯溜するための上部タンクを、又この上部タンクの下方に、上部タンクから溢れた玉を受入れる中タンクを設け、前記研磨塔が配置された間隔の両側にＦタンクとＲタンクとＪタンクとを設けたものであって、前記ＦタンクとＪタンクの夫々に設けたリフターと研磨塔の下部に設けた玉入口とをアウトレールにて接続することで、該アウトレールに搬入された玉を研磨塔の玉入口まで搬入し、前記研磨塔の玉出口を上部タンク内に開口させるとともに、該上部タンクに貯溜した玉を遊技機に補給するための補給トユを介して上部タンクと各遊技機とを接続し、前記補給トユとは別に上部レールを設けて、該上部レールを介して前記上部タンクと前記Ｊタンクとを接続し、前記玉計数器から投入された玉はＦタンク又はＲタンクに貯溜され、前記中タンクに上吐出口と下吐出口とを設け、前記上吐出口に前記Ｆタンクを、前記下吐出口に前記Ｒタンクを、夫々玉搬送路を通じて接続して、前記上部タンクから前記中タンクへ溢れ出た玉が、該中タンクの前記下吐出口から前記Ｒタンクへ搬送され、該Ｒタンクが満杯になり該Ｒタンクに接続する玉搬送路にも玉が詰まると前記下吐出口より上方の前記上吐出口から溢れ出して前記Ｆタンクへ搬送される構成として、Ｒタンク，Ｆタンクの順に各タンク内に貯溜されるようにし、前記Ｆタンクと前記Ｒタンクは底部で連通し、該Ｆタンクに配備されたＦリフターを介して該タンク内の玉をアウトレールに搬出することを特徴とする遊技機管理単位体に係るものである。
請求項５に記載の発明は、請求項１又は請求項４記載の遊技機管理単位体において、前記上部タンクには他の遊技機管理単位体へ玉を搬出する為の島渡し出口と、他の遊技機管理単位体からの玉を搬入する為の島渡し入口が形成されているとともに、該島渡し出口が高く該島渡し入口が低くなるような高低差を有して配置されていることを特徴とする遊技機管理単位体に係るものである。
請求項６に記載の発明は、請求項５記載の遊技機管理単位体において、前記上部タンクに設けられた島渡し入口には、搬入された玉を中タンクに搬入する為の落し込みガイドが設けられており、他の遊技機管理単位体からの玉が該落し込みガイドを通じて直接中タンク内へ搬入され、該中タンクから前記Ｆタンクまたは前記Ｒタンクを通じて前記研磨塔へ案内されることを特徴とする遊技機管理単位体に係るものである。
【０００８】
【発明の実施の形態】
図１に示す遊技機管理単位体すなわちパンチンコ島１００は、本発明の一実施例を示すものである。
斯かるパチンコ島１００は、複数の遊技機（以下パチンコ台という）１０１を並設して遊技機列を形成し、この遊技機列を背中合せにし、かつ所定の間隔をもって配置したものである。遊技機列のなす間隔内には直立した状態に研磨塔１０２が配置されている。
【０００９】
この研磨塔１０２の上方にはパチンコ玉を各パンチンコ台１０１に補給する為の上部タンク１０３が設けられており、さらにこの下方には中タンク１０４が設けられている。
中タンク１０４の上部には上部タンク１０３から溢れたパチンコ玉を該中タンク１０４内に受入れる為のオーバーフロー入口１０４ａが形成されている。
【００１０】
又、研磨塔１０２を中央にして間隔内左右には、研磨塔１０２から島端に向ってＦタンク１０５、Ｒタンク１０６、Ｊタンク１０７の順に各貯溜タンクが設けられている。
このＦタンク１０５とＲタンク１０６とは底部が連通しており、後述の如くＦタンク１０５内のパチンコ玉が減少するとＲタンク１０６内の玉がＦタンク１０５に流入する構造となっている。
【００１１】
一方本例においてはパチンコ島１００の少なくともいずれか一方の端部に玉計数器１０８が配備されている。
次に、パチンコ台１０１，研磨塔１０２，各貯溜タンクの接続状態を説明する。
図例の如く研磨塔１０２の搬送部１０２ａは玉出口１０２ｂを介して上部タンク１０３に連通されており、後述の如く玉入口１０２ｃから搬入された玉は搬送部１０２ａにおいて研磨されながら上昇し、玉出口１０２ｂから上部タンク１０３内に搬入される。又上部タンク１０３の底部とパチンコ台１０１の上部とを玉補給可能な状態で補給トユ１０９が接続されている。
【００１２】
さらに中タンク１０４とＦタンク１０５，Ｒタンク１０６との接続においても同様に、玉補給可能な状態でレール・ホースが接続されている。
すなわち中タンク１０４の上吐出口１０４ｃとＦタンク１０５とはフレキホース１１０で、又中タンク１０４の下吐出口１０４ｂとＲタンク１０６とは島中レール１１１並びにフレキホース１１２により夫々接続されている。
【００１３】
一方玉計数器１０８の玉出口１０８ａにアウトレール１１３の一端１１３ａが、又他端１１３ｂに研磨塔１０２の玉入口１０２ｃがそれぞれ接続されている。
そしてこのアウトレール１１３は、Ｊタンク１０７内に玉を自然搬入させる為の搬入口１１３ｃが設けられている。
さらにＦタンク１０５には、アウトレール１１３に対してタンク内の玉を搬入させるべくＦリフター１０５ａが配備され、同様にＪタンク１０７にもＪリフター１０７ａが配備されている。
上記構成のパチンコ島１００における玉の還元処理システムを以下に説明する。
【００１４】
まず玉計数器１０８に投入された客の玉（出玉）は、玉出口１０８ａを経てアウトレール１１３に搬出される。
この玉のうち一部は搬入口１１３ｃからＪタンク１０７に落ち、残りは常時稼働している研磨塔１０２の玉入口１０２ｃ内に搬送される。
研磨塔１０２では玉を研磨しながら上昇させて玉出口１０２ｂから上部タンク１０３内に落下させる。
【００１５】
上部タンク１０３内の玉は補給トユ１０９に運ばれ、シュート１０９ａを介して各パチンコ台１０１に供給される。又客がパチンコ台１０１に打込んだ玉はアウトボックス１０９ｂを介してアウトレール１１３に放出される。
斯かるパチンコ台１０１においてその台の保有玉数が満杯になると補給トユ１０９内も玉で満され、上部タンク１０３の玉はパチンコ台１０１に供給されることなく、タンク内は順次研磨塔１０２から搬送された玉により満されてゆく。
【００１６】
上部タンク１０３内が玉で満されると図中のセンサＳ1 ，Ｓ2 がＯＮして後述の如くＦリフター１０５ａからのアウトレール１１３に対する玉の搬出は停止される。
そしてさらに貯溜された玉量が所定量を超えると、すなわち上部タンク１０３内でオーバーフロー入口１０４ａより高くなるとこのオーバーフロー入口１０４ａから中タンク１０４内へ玉は溢れ落下してゆく。
【００１７】
中タンク１０４に落下した玉は、下吐出口１０４ｂから島レール１１１，フレキホース１１２を経てＲタンク１０６内に搬送される。
このＲタンク１０６が満杯になるとフレキホース１１２，島中レール１１１にも玉が詰る。その為中タンク１０４に落下した玉は、下吐出口１０４ｂより上方の上吐出口１０４ｃからフレキホール１１０を経てＦタンク１０５内に貯溜される。
【００１８】
このままＦタンク１０５内に玉が貯溜されてゆき所定量を超えると、例えばセンサＳ3 ，Ｓ4 が共に又はいずれか一方がＯＮになるとＪタンク１０７内の玉をアウトレール１１３に搬出する為のＪリフター１０７ａが停止する。
尚Ｊリフター１０７ａが稼働している間は、Ｊタンク１０７側（図中研磨塔の左側に配置されている）のＦリフター１０５ａは、稼働を停止している。
【００１９】
このＪリフター１０７ａによる玉の搬出が停止すると、Ｊタンク１０７内に次第に玉が貯溜され所定量を超えて満杯になると、センサＳ5 からの検出信号により、玉計数器１０８から使用停止パネル１０８ｂが出され、客による玉計数器１０８の使用が停止される。
一方上記停止の状態から、各パチンコ台１０１において客の出玉数が多くなると、それにともない補給トユ１０９，シュート１０９ａ内の玉もなくなり、究極には上部タンク１０３内に貯溜されていた玉も減る。
そしてセンサＳ1 又はＳ2 がＯＦＦになるとその信号を受けてＦリフター１０５ａが稼働し、Ｆタンク１０５内の玉がアウトレール１１３に搬出され、前述の如く研磨塔１０２にて上部タンク１０３へ補給される。
【００２０】
このとき、Ｆタンク１０５とＲタンク１０６とは底部が連通しているので、まずはＦタンク１０５内の玉が搬出され、次いでＲタンク１０６内の玉がＦタンク１０５内に流れて前記同様Ｆリフター１０５ａにより搬出されることになる。
以上の様にＦタンク１０５から玉が搬出されると、それがセンサＳ3 ，Ｓ4 をＯＦＦさせることになり、このＯＦＦ信号によってＪタンク１０７から玉を搬出するＪリフター１０７ａが稼働する。
【００２１】
この場合前述したと同様に、Ｊタンク１０７側に設けられているＦタンク１０５のＦリフター１０５ａは稼働を停止する。
そしてＪリフター１０７ａの稼働によりＪタンク１０７内の玉が減ると、すなわちセンサＳ5 がＯＦＦすると使用停止パネル１０８ｂが引き戻されて玉計数器１０８の使用が可能となる。
【００２２】
以上、説明した通り、各パチンコ台１０１の保有玉数が満杯になり、かつ各貯溜タンクも満杯になると研磨塔を除いて各リフターによる玉の搬出も停止されさらには玉計数器の使用も停止される。
しかし本発明のパチンコ島１００では島の上方に上部タンク，中タンクを、下方にはＦ，Ｒ，Ｊタンクを設け、これらによって貯溜総量が大幅に上昇したので、研磨塔を常時運転させておくこともでき、さらに玉計数器が使用停止状態になることは大幅に減少する。
【００２３】
図２は本発明の他の実施例によるパチンコ島２００を説明する図である。
この実施例にいては、前述の実施例と基本的な構成並びに玉還元処理システムに変りはない。
すなわち各パチンコ台２０１からなる遊技機列を併設し、その間隔内に研磨塔２０２、上方に上部タンク２０３、その下方に中タンク２０４を夫々配備し、又島下方には研磨塔２０２を中心にして左右にＦタンク２０５，Ｒタンク２０６，Ｊタンク２０７を設けたものである。
【００２４】
異なる点は、玉計数器２０８が島端ではなく遊技機列中に設けられて、この玉計数器２０８からの玉がＦ又はＲタンクに投入されるところにあり、従ってＪタンク２０７には上部レール２１０を介して上部タンク２０３の玉が送り込まれる構成となっている。
尚図例では、Ｊタンク２０７，Ｒタンク２０６，Ｆタンク２０５の各リフター２０５ａ，２０７ａから搬出された玉を研磨塔２０２の玉入口２０２ｃに送り込む為のアウトレールが省略されている。
上記図１，図２に示したパチンコ島１００，２００においては同一島内での玉還元処理システムを説明した。
【００２５】
しかしホール内ではこのパチンコ島が所定間隔で並置されており、ホール全体の玉還元システムを考える場合は、隣接する島との玉供給還元を考慮する必要がある。
そこで図３の、所謂突込み形式に示す如く、上部タンク１０３（２０３）に島渡し出口１０３ａと島渡し入口１０３ｂを設け、これら出口，入口を、図示しない島渡しレールを用いて隣接するパチンコ島の上部タンクに設けた島渡し入口と島渡し出口に夫々接続させるものである。この島渡しレールは一方の島の島渡し出口を高く、他方の島の島渡し入口を低くした所謂勾配レールとなっている。
【００２６】
上述の如く研磨塔の玉出口１０２ｂから上部タンク１０３内に落下する玉はその一部が島渡し出口１０３ａに入り、島渡しレールを介して他の島の島渡し入口を経てその島の上部タンクに貯溜される。
このとき他の島の上部タンクでは、その島渡し入口の高さまで玉が満されていないことが条件になる。
【００２７】
一方上部タンク１０３では前述の如く（図１参照）補給トユ１０９にも玉が詰まり貯溜玉が増加してセンサＳ1 ，Ｓ2 をＯＮさせるとＦリフター１０５ａの稼働は停止し、さらに玉が増えるとオーバーフロー入口１０４ａから中タンク１０４へ溢れてゆく。
その後の玉還元処理については前述の通りである。
【００２８】
又図４は図３によるものをさらに改良した所謂落し形式のものである。
この形式では、他の島の島渡し出口より低位に形成された島渡し入口１０３ｂに落し込みガイド１０３ｃを設けたものである。
この落し込みガイド１０３ｃは、島渡し入口１０３ｂを覆うガイド筒形式のもので、該入口１０３ｂから入り込む玉を直接中タンク１０４内に導くものである。
そして中タンク１０４内では落し込みガイド１０３ｃの下端を下吐出口１０４ｂに略連続させることで、Ｒタンク１０６まで玉を落し込むことができる。
これにより他の島の玉を直接Ｒタンク１０６に受入れることになり、ホール全体の玉還元処理を円滑に運行させることが可能となる。
【００２９】
【発明の効果】
上記構成の遊技機管理単位体並びに玉還元処理システムでは、島以外に研磨室を設けることなく玉の還元処理並びに貯溜が可能となる。
しかも島の下方に各貯溜タンクが設けられるので上部タンクの玉が満杯になっても島全体の重心は低く、島を揺動等させることなく安定した状態に定置できる。その上貯溜タンクに応じて貯溜できる玉量も大幅に増加し、その還元処理も各タンクを有効に使用するものであるから、研磨塔を常時運転していても玉計数器を最大限稼働させかつ使用停止になることが少い。
さらに天井配管等を用いることなく島間での玉還元処理も可能となり、多い出玉を期待する客に対応した最近のホール運営に寄与することは大である。
【図面の簡単な説明】
【図１】本発明に係る遊技機管理単位体の実施例を説明する図である。
【図２】同他の実施例を説明する図である。
【図３】上部タンクを説明する図である。
【図４】他の上部タンクを説明する図である。
【符号の説明】
１００  遊技機管理単位体（パチンコ島）    １０１  遊技機（パチンコ台）
１０２  研磨塔                            １０３  上部タンク
１０３ａ  島渡し出口                      １０３ｂ  島渡し入口
１０３ｃ  落し込みガイド                  １０４  中タンク
１０４ａ  オーバーフロー入口              １０５  Ｆタンク
１０６  Ｒタンク                          １０７  Ｊタンク
１０８  玉計数器                          １０８ｂ  使用停止パネル
１０９  補給トユ                          １１０  フレキホース
１１１  島中レール                        １１２  フレキホース
１１３  アウトレール
【図１】
0004060896.tif 000002
【図２】
0004060896.tif 000003
【図３】
0004060896.tif 000004
【図４】
0004060896.tif 000005